(57)【特許請求の範囲】
【請求項１】
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力する送信側装置と、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う受信側装置と、
を備え、
前記送信側装置は、
前記フレーム同期用ビット系列を前記置き換え処理で置き換える位置に、新規情報を載せ、前記送信側装置及び前記受信側装置がそれぞれ有する多重分離部間の通信に用いる
ことを特徴とする伝送システム。
【請求項２】
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力する送信側装置と、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う受信側装置と、
を備え、
前記デジタルＲｏＦ信号がＣＰＲＩ信号の場合、Ｋ２８．５コードであるフレーム同期用ビット系列を復元する位置情報を、前記ＣＰＲＩ信号の制御信号の予約ビット又はＩＱデータ領域を用いて伝送する
ことを特徴とする伝送システム。
【請求項３】
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力する送信側装置と、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う受信側装置と、
を備え、
前記デジタルＲｏＦ信号がＣＰＲＩ信号の場合、Ｋ２８．５コードであるフレーム同期用ビット系列を復元する位置を、前記Ｋ２８．５コードを置き換えたＣＰＲＩ信号のＤ５．６又はＤ１６．２からの相対位置で推定する
ことを特徴とする伝送システム。
【請求項４】
前記送信側装置は、
前記置き換え処理と並行して、多重前のデジタルＲｏＦ信号のＩＱデータを圧縮し、
前記受信側装置は、
前記復元処理と並行して、分離後の圧縮されたデジタルＲｏＦ信号を伸長する
ことを特徴とする請求項１から３いずれかに記載の伝送システム。
【請求項５】
送信側装置は、
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力し、
受信側装置は、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う
伝送方法において、
前記送信側装置は、
前記フレーム同期用ビット系列を前記置き換え処理で置き換える位置に、新規情報を載せ、前記送信側装置及び前記受信側装置がそれぞれ有する多重分離部間の通信に用いる
ことを特徴とする伝送方法。
【請求項６】
送信側装置は、
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力し、
受信側装置は、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う
伝送方法において、
前記デジタルＲｏＦ信号がＣＰＲＩ信号の場合、Ｋ２８．５コードであるフレーム同期用ビット系列を復元する位置情報を、前記ＣＰＲＩ信号の制御信号の予約ビット又はＩＱデータ領域を用いて伝送する
ことを特徴とする伝送方法。
【請求項７】
送信側装置は、
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力し、
受信側装置は、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う
伝送方法において、
前記デジタルＲｏＦ信号がＣＰＲＩ信号の場合、Ｋ２８．５コードであるフレーム同期用ビット系列を復元する位置を、前記Ｋ２８．５コードを置き換えたＣＰＲＩ信号のＤ５．６又はＤ１６．２からの相対位置で推定する
ことを特徴とする伝送方法。
【発明の詳細な説明】
【技術分野】
【０００１】
本発明は、ＢＢＵ−ＲＲＨ間の伝送システム及びＣＰＲＩ伝送方法に関する。
【０００２】
セルラーシステムにおいて、セル構成の自由度を向上するため、基地局の機能を信号処理部（ＢＢＵ：Ｂａｓｅ  Ｂａｎｄ  Ｕｎｉｔ）とＲＦ部（ＲＲＨ：Ｒｅｍｏｔｅ  Ｒａｄｉｏ  Ｈｅａｄ）に分割して物理的に離れた構成とする事が検討されている。この時ＢＢＵ−ＲＲＨ間において無線信号はＲｏＦ技術により伝送される。
【０００３】
ＲｏＦ技術は光伝送方法によりアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）［１］等の標準化団体の下、使用策定が進められている。またＢＢＵ−ＲＲＨ間の接続媒体として、同軸ケーブルや光ファイバ等が用いられるが、特に光ファイバによって接続する事により、伝送距離を拡大する事ができる。
【背景技術】
【０００４】
以下にＣＰＲＩ伝送を説明する。なお以後、ＢＢＵで作成した無線信号のＩ軸Ｑ軸ごとのデジタル信号（ＩＱデータ）を光信号に変換してＲＲＨへ伝送し、ＲＲＨで受信した光信号を無線信号に変換して、無線端末へと送信するリンクを下りリンクと呼ぶ。一方、無線端末が送信した無線信号をＲＲＨで受信し、受信した無線信号を光信号に変換してＢＢＵへ伝送し、ＢＢＵで受信した光信号をＩＱデータに変換して信号の復調を行うリンクを上りリンクと呼ぶ。
【０００５】
ＣＰＲＩ伝送時のＲＲＨの装置構成例を図１に示す。ＲＲＨ１１は上りリンクの信号処理のため、無線信号の送信／受信を行うアンテナ１０と、送信／受信を切り替える送受切替部１２−１と、受信した無線信号の信号電力を信号処理ができるレベルまで増幅する増幅器１３−１と、無線信号をベースバンドにダウンコンバートするダウンコンバート部１４−１と、ダウンコンバートされたアナログ信号をＩＱデータに変換するＡ／Ｄ変換部１５−１と、ＩＱデータに対してフィルタリング処理を行うベースバンドフィルタ部（上り）１６−１と、ＩＱデータと制御信号を多重するＣＰＲＩフレーム化部１７−１と、電気信号を光信号に変換して送信する電気−光（Ｅ／Ｏ）変換部１８−１を有する。送受切替部１２−１は、ＦＤＤ（Ｆｒｅｑｕｅｎｃｙ  Ｄｉｖｉｓｉｏｎ  Ｄｕｐｌｅｘ）と、ＴＤＤ（Ｔｉｍｅ  Ｄｉｖｉｓｉｏｎ  Ｄｕｐｌｅｘ）のどちらにも対応できる。
【０００６】
またＲＲＨ１１は下りリンクの信号処理のため、ＢＢＵ２１から受信した光信号を電気信号に変換する光−電気（Ｏ／Ｅ）変換部１９−１と、受信信号から制御信号及びＩＱデータを取り出すＣＰＲＩデフレーム化部２２−１と、ＩＱデータに対してフィルタリング処理を行うベースバンドフィルタ部（下り）２３−１と、ＩＱデータをアナログ信号に変換するＤ／Ａ変換部２４−１と、アナログ信号をアップコンバートするアップコンバート部２５−１と、電力を決められた送信電力まで増幅する増幅器１３−２と、送受切替部１２−１とアンテナ１０を有する。
【０００７】
ＣＰＲＩ伝送時のＢＢＵ２１の装置構成例を図２に示す。ＢＢＵ２１は上りリンクの信号処理のため、光信号を電気信号に変換するＯ／Ｅ変換部１９−２と、受信信号から制御信号及びＩＱデータを取り出すＣＰＲＩデフレーム化部２２−２と、ＩＱデータに対して復調を行う変復調部２６−１を有する。
【０００８】
またＢＢＵ２１は下りリンクの信号処理のため、無線信号のＩＱデータを出力する変復調部２６−１と、ＩＱデータと制御信号を多重するＣＰＲＩフレーム化部１７−２と、電気信号を光信号に変換して送信するＥ／Ｏ変換部１８−２を有する。
【０００９】
図３に、ｏｐｔｉｏｎ３のＣＰＲＩフレームの構成を示す。ＣＰＲＩはベーシックフレームを最小単位としており、２５６個のベーシックフレームが集まって一つのハイパーフレームを構成し、１５０個のハイパーフレームが集まって一つのＣＰＲＩ１０ｍｓフレームを構成する。１ベーシックフレームは約２６０ｎｓ、１ハイパーフレームは約６６．６ｕｓ、１ＣＰＲＩ１０ｍｓフレームは１０ｍｓである。１ベーシックフレーム内では、先頭の１／１６が制御信号を送るために使われ、残りの１５／１６がＩＱデータを送るために使われる。
【００１０】
ハイパーフレームの先頭の制御信号として、Ｋ２８．５コードが伝送される。Ｋ２８．５コードは、ハイパーフレームの先頭でのみ現れるコードであり、ＢＢＵ２１−ＲＲＨ１１間でフレーム同期を取り、ＣＰＲＩリンクを確立するために用いられる。
【００１１】
以下にＣＰＲＩの多重伝送を説明する。複数のＣＰＲＩ信号を多重伝送することで、光ファイバ２０を集約することができ、経済化につながる。図４は、３台のＢＢＵ２１／ＲＲＨ１１の接続例を示す。図１及び図２と異なり、ＢＢＵ２１／ＲＲＨ１１ともに、複数のＣＰＲＩ信号を多重分離する多重分離部２７−１及び２７−２をそれぞれ備える。これにより、各ＣＰＲＩ信号を別々のファイバで伝送する場合と比べ、光ファイバ２０を集約できる。各ＲＲＨ１１及び各ＢＢＵ２１は、物理的に離れた位置でも良い。図４の多重分離部２７は、ＰＯＮ（Ｐａｓｓｉｖｅ  Ｏｐｔｉｃａｌ  Ｎｅｔｗｏｒｋ）システムで実現しても良い。
【００１２】
また図５は、３つのアンテナ１０を備えたＲＲＨ１１とＢＢＵ２１の接続例を示す。図４と異なり、図５では多重分離部２７−３及び２７−４がＢＢＵ２１及びＲＲＨ１１にそれぞれ備えられている。多重分離するＣＰＲＩ信号の数は３つに限らず、任意の数の信号を多重できる。前記多重分離部２７は、時間多重・周波数多重・波長多重のいずれでも良い。ただし周波数多重／波長多重時には、多重数に応じて周波数／波長を増加する必要があるため、以下では時間多重を前提にする。
【００１３】
以下にＣＰＲＩの圧縮・多重伝送を説明する。ＣＰＲＩ伝送は光ファイバ２０区間で非常に広帯域を要する。例えばＬＴＥ（Ｌｏｎｇ  Ｔｅｒｍ  Ｅｖｏｌｕｔｉｏｎ）システムにおいて、システム帯域幅２０ＭＨｚで２ｘ２  ＭＩＭＯの無線信号は、無線区間で最大１５０Ｍｂｐｓであるが、これを１５ｂｉｔの量子化ビット数で伝送するには、ｏｐｔｉｏｎ  ３（２．４５７６Ｇｂｐｓ）以上のＣＰＲＩリンクが必要となる。このため、多重伝送時のＲＲＨ１１の収容数を向上するためには、ＣＰＲＩ信号の所要帯域を削減する圧縮手法が必要となる。圧縮手法としては、サンプリング周波数の低減、量子化ビット数の低減、エントロピー符号化等が挙げられる。
【００１４】
図６は、図４の多重伝送時に圧縮技術を導入した際の構成例を示す。圧縮部２８において、ＣＰＲＩのＩＱデータが圧縮され、伸長部２９において、圧縮されたＩＱデータが復元される。正常にＣＰＲＩリンクが確立するように、ＣＰＲＩの制御信号には圧縮をかけない。このため、例えばｏｐｔｉｏｎ３のＣＰＲＩ信号２つを圧縮して多重した結果が、ｏｐｔｉｏｎ３のＣＰＲＩ信号１つよりも小さい伝送速度となるためには、圧縮されたＩＱデータの伝送量／元々のＩＱデータの伝送量＜０．４６７となるように圧縮をかける必要がある。
【００１５】
図７は、図５の多重伝送時に圧縮技術を導入した際の構成例を示す。圧縮部２８において、ＣＰＲＩのＩＱデータが圧縮され、伸長部２９において、圧縮されたＩＱデータが復元される。図８及び９は、それぞれ圧縮部２８及び伸長部２９の装置構成例を示す。図８において圧縮部２８は、ＣＰＲＩフレームを制御信号とＩＱデータに分離するＣＰＲＩデフレーム化部２２と、取りだされたＩＱデータに対して圧縮処理を行うＩＱデータ圧縮部３１と、圧縮されたＩＱデータと制御信号を多重する多重部３２を有する。圧縮されたＩＱデータと制御信号を別々に出力して、多重分離部２７へ入力し、多重分離部２７で多重する構成とすれば、圧縮部２８内の多重部３２は不要となる。
【００１６】
図９において伸長部２９は、圧縮されたＩＱデータと制御信号を分離する分離部３４と、圧縮されたＩＱデータに対して伸長処理を行うＩＱデータ伸長部３３と、伸長されたＩＱデータと制御信号を多重するＣＰＲＩフレーム化部１７とを有する。多重分離部２７が、圧縮されたＩＱデータと制御信号を別々に出力し、伸長部２９へ入力する構成とすれば、伸長部２９内の分離部３４は不要となる。
【００１７】
多重分離部２７間のインタフェースがＣＰＲＩと仮定する。圧縮多重後のＣＰＲＩ信号の伝送速度は、元々のＣＰＲＩ信号の合計値より小さい値となるが、ＣＰＲＩ制御信号には圧縮はかからない。このため、いずれかのＣＰＲＩ制御信号をＣＰＲＩフレームのＩＱデータ領域に載せて伝送する必要が生じる。
【先行技術文献】
【非特許文献】
【００１８】
【非特許文献１】ＣＰＲＩ，  “ＣＰＲＩ  Ｓｐｅｃｉｆｉｃａｔｉｏｎ  Ｖ６．０，”  Ａｕｇ．３０，  ２０１３，  ｈｔｔｐ：／／ｗｗｗ．ｃｐｒｉ．ｉｎｆｏ／ｓｐｅｃ．ｈｔｍｌ
【発明の概要】
【発明が解決しようとする課題】
【００１９】
以下では、多重分離部２７間のインタフェースはＣＰＲＩと仮定する。２ＣＰＲＩ信号を多重する際の、関連技術の動作例を図１０に示す。このとき、多重により構成されたＣＰＲＩ信号には、１ハイパーフレーム内で複数のＫ２８．５コードが存在する。このため、受信側でハイパーフレームの先頭に存在するＫ２８．５コードを検出できず、ＣＰＲＩリンクを確立できない可能性がある。つまり関連技術の場合、受信側では、１ハイパーフレーム内で複数のＫ２８．５コードが含まれるため、ＣＰＲＩリンクが正しく確立出来ない可能性がある。
【００２０】
２ＣＰＲＩ信号を圧縮して多重する際の、関連技術の動作例を図１１に示す。このとき、１ハイパーフレーム内で複数のＫ２８．５コードが存在する。このため、受信側でハイパーフレームの先頭に存在するＫ２８．５コードを検出できず、ＣＰＲＩリンクを確立できない可能性がある。
【００２１】
前記課題を解決するために、本発明は、ＣＰＲＩ信号のＫ２８．５コードを、予め定められた配置にＣＰＲＩ信号のハイパーフレームに対し設定することでＣＰＲＩリンクの正しい確立を行うことを目的とする。
【課題を解決するための手段】
【００２２】
上記目的を達成するため、本発明では、Ｎ個のＣＰＲＩ信号または圧縮されたＣＰＲＩ信号を多重する際、Ｎ−１個のＣＰＲＩ信号または圧縮されたＣＰＲＩ信号のＫ２８．５コードを別のビット系列に置換える。また、残りの１個のＣＰＲＩ信号または圧縮されたＣＰＲＩ信号のＫ２８．５コードを、多重により構成されるＣＰＲＩ信号のハイパーフレームの先頭に配置させることで、Ｋ２８．５コードの検出できないことがないようにすることで、ＣＰＲＩリンクの正しい確立ができる技術を提供する。
【００２３】
具体的には、本発明に係る伝送システムは、
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力する送信側装置と、
前記デジタルＲｏＦ信号を複数のデジタルＲｏＦ信号へ分離した後、前記送信側装置の前記置き換え処理で置き換えた前記フレーム同期用ビット系列以外のビット系列を前記フレーム同期用ビット系列へ復元する復元処理を行う受信側装置と、を備える。
【００２４】
本発明に係る伝送システムでは、
送信側装置は、
前記置き換え処理と並行して、多重前のデジタルＲｏＦ信号のＩＱデータを圧縮し、
受信側装置は、
前記復元処理と並行して、分離後の圧縮されたデジタルＲｏＦ信号を伸長してもよい。
【００２５】
本発明に係る伝送システムでは、
送信側装置は、
前記フレーム同期用ビット系列を前記置き換え処理で置き換える位置に、新規情報を載せ、前記送信側装置及び前記受信側装置がそれぞれ有する多重分離部間の通信に用いてもよい。
【００２６】
本発明に係る伝送システムでは、
デジタルＲｏＦ信号がＣＰＲＩ信号の場合、Ｋ２８．５コードであるフレーム同期用ビット系列を復元する位置情報を、前記ＣＰＲＩ信号の制御信号の予約ビット又はＩＱデータ領域を用いて伝送してもよい。
【００２７】
本発明に係る伝送システムでは、
前記デジタルＲｏＦ信号がＣＰＲＩ信号の場合、Ｋ２８．５コードであるフレーム同期用ビット系列を復元する位置を、前記Ｋ２８．５コードを置き換えたＣＰＲＩ信号のＤ５．６又はＤ１６．２からの相対位置で推定してもよい。
【００２８】
具体的には、本発明に係る伝送方法は、
送信側装置は、
複数のデジタルＲｏＦ信号を多重する場合、多重数−１個のフレーム同期用ビット系列を前記フレーム同期用ビット系列以外のビット系列に置き換える置き換え処理をして一つのデジタルＲｏＦ信号として出力し、
受信側装置は、
前記デジタルＲｏＦ信号を複数のデジタルＲｏＦ信号へ分離した後、送信側装置の前記置き換え処理で置き換えた前記フレーム同期用ビット系列以外のビット系列を前記フレーム同期用ビット系列へ復元する復元処理を行う。
【００２９】
なお、上記各発明は、可能な限り組み合わせることができる。
【発明の効果】
【００３０】
本発明によれば、ＣＰＲＩ信号のＫ２８．５コードを、予め定められた配置にＣＰＲＩ信号のハイパーフレームに対し設定することでＣＰＲＩリンクの正しい確立を行うことができる。
【図面の簡単な説明】
【００３１】
【図１】関連技術に係るＣＰＲＩ伝送時のＲＲＨの構成図の一例を示す。
【図２】関連技術に係るＣＰＲＩ伝送時のＢＢＵの構成図の一例を示す。
【図３】関連技術に係るＣｏｐｔｉｏｎ３のＣＰＲＩフレームの一例を示す。
【図４】関連技術に係る３台のＢＢＵ／ＲＲＨの接続時の一例を示す。
【図５】関連技術に係る３つのアンテナを備えたＢＢＵ／ＲＲＨの接続時の一例を示す。
【図６】関連技術に係る３台のＢＢＵ／ＲＲＨの多重伝送時に圧縮技術を導入した際の構成図の一例を示す。
【図７】関連技術に係る３つのアンテナを備えたＢＢＵ／ＲＲＨの多重伝送時に圧縮技術を導入した際の構成図の一例を示す。
【図８】関連技術に係る圧縮部の構成図の一例を示す。
【図９】関連技術に係る伸長部の構成図の一例を示す。
【図１０】関連技術に係る２ＣＰＲＩ信号を多重した場合の一例を示す。
【図１１】関連技術に係る２ＣＰＲＩ信号を圧縮して多重した場合の一例を示す。
【図１２】実施形態１に係る３台のＢＢＵ／ＲＲＨの構成図の一例を示す。
【図１３】実施形態２に係る３つのアンテナを備えたＢＢＵ／ＲＲＨの構成図の一例を示す。
【図１４】本実施形態に係るコード変換部の構成図の一例を示す。
【図１５】本実施形態に係るコード復元部の構成図の一例を示す。
【図１６】実施形態１又は２に係る構成の動作例の一例を示す。
【図１７】実施形態３に係る３台のＢＢＵ／ＲＲＨの構成図の一例を示す。
【図１８】実施形態４に係る３つのアンテナを備えたＢＢＵ／ＲＲＨの構成図の一例を示す。
【図１９】本実施形態に係るコード変換圧縮部の構成図の一例を示す。
【図２０】本実施形態に係るコード復元伸長部の構成図の一例を示す。
【図２１】実施形態３又は４に係る構成の動作例の一例を示す。
【図２２】実施形態３又は４に係る構成の動作例の一例を示す。
【図２３】実施形態５に係るコード変換圧縮部の構成図の一例を示す。
【図２４】実施形態５に係るコード復元伸長部の構成図の一例を示す。
【図２５】実施形態６に係るコード復元伸長部の構成図の一例を示す。
【発明を実施するための形態】
【００３２】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００３３】
（実施形態１）
本実施形態では、伝送システムは、ＢＢＵ２１及びＲＲＨ１１を備える。光ファイバ２０を介して接続されたＢＢＵ２１及びＲＲＨ１１は、下り又は上り通信の際のリンク形態により、それぞれ送信側装置又は受信側装置として機能してもよい。
【００３４】
実施形態１では、図４に本発明を適用する。実施形態１のＢＢＵ２１／ＲＲＨ１１の装置構成例を図１２に示す。図４と異なり、多重数−１個のＣＰＲＩ信号のＫ２８．５コードを別のビット系列に置き換える置き換え処理を行うコード変換部３５と、多重数−１個の置き換えられた別のビット系列をＫ２８．５コードへ復元する復元処理を行うコード復元部３６を有する。
【００３５】
図１４に示すように、コード変換部３５はＫ２８．５コード置換え部３８を有し、Ｋ２８．５コードを検出して別のビット系列へ置換える。また図１５に示すように、コード復元部３６はＫ２８．５コード復元部３９を有し、置き換えられた前記別のビット系列をＫ２８．５コードへ復元する。
【００３６】
（実施形態２）
実施形態２では、図５に本発明を適用する。実施形態２のＢＢＵ２１／ＲＲＨ１１の装置構成例を図１３に示す。図５と異なり、多重数−１個のＣＰＲＩ信号のＫ２８．５コードを別のビット系列に置き換える置き換え処理を行うコード変換部３５と、多重数−１個の置き換えられた別のビット系列をＫ２８．５コードへ復元する復元処理を行うコード復元部３６を有する。
【００３７】
図１４に示すように、コード変換部３５はＫ２８．５コード置換え部３８を有し、Ｋ２８．５コードを検出して別のビット系列へ置換える。また図１５に示すように、コード復元部３６はＫ２８．５コード復元部３９を有し、置き換えられた前記別のビット系列をＫ２８．５コードへ復元する。実施形態１または２適用時の動作例を図１６に示す。多重後のＣＰＲＩ信号では、Ｋ２８．５コードは一つしか存在せず、分離後の各ＣＰＲＩ信号では、Ｋ２８．５コードが復元されている。
【００３８】
（実施形態３）
実施形態３では、図６に本発明を適用する。実施形態３のＢＢＵ２１／ＲＲＨ１１の装置構成例を図１７に示す。図６と異なり、多重数−１個のＣＰＲＩ信号のＫ２８．５コードを別のビット系列に置き換える置き換え処理を行うコード変換圧縮部４１と、多重数−１個の置き換えられた別のビット系列をＫ２８．５コードへ復元する復元処理を行うコード復元伸長部４２を有する。
【００３９】
図１９に示すように、コード変換圧縮部４１は、図８の圧縮部２８に加え、Ｋ２８．５コード置換え部３８を有し、Ｋ２８．５コードを検出して別のビット系列へ置換える。また図２０に示すように、コード復元伸長部４２は、図９の伸長部２９に加え、Ｋ２８．５コード復元部３９を有し、置き換えられた前記別のビット系列をＫ２８．５コードへ復元する。
【００４０】
（実施形態４）
実施形態４では、図７に本発明を適用する。実施形態４のＢＢＵ２１／ＲＲＨ１１の装置構成例を図１８に示す。図７と異なり、多重数−１個のＣＰＲＩ信号のＫ２８．５コードを別のビット系列に置き換える置き換え処理を行うコード変換圧縮部４１と、多重数−１個の置き換えられた別のビット系列をＫ２８．５コードへ復元する復元処理を行うコード復元伸長部４２を有する。
【００４１】
図１９に示すように、コード変換圧縮部４１は、図８の圧縮部２８に加え、Ｋ２８．５コード置換え部３８を有し、Ｋ２８．５コードを検出して別のビット系列へ置換える。また図２０に示すように、コード復元伸長部４２は、図９の伸長部２９に加え、Ｋ２８．５コード復元部３９を有し、置き換えられた前記別のビット系列をＫ２８．５コードへ復元する。
【００４２】
実施形態３または４適用時の動作例を図２１及び図２２に示す。図２１に示すように、多重後のＣＰＲＩ信号では、Ｋ２８．５コードは一つしか存在せず、図２２に示すように、分離後の各ＣＰＲＩ信号ではＫ２８．５コードが復元されている。
【００４３】
（実施形態５）
実施形態５では、Ｋ２８．５コードを別の新たな情報で置き換える。該新たな情報は、例えば多重分離部２７間の通信に用いられ、多重分離部２７間での同期確立や、監視制御情報のやり取りが行われる。実施形態５により、新たな通信リソース（時間帯域や波長帯）を追加することなく、多重分離部２７間での通信が可能となる。
【００４４】
実施形態５を図６または図７へ適用した際の、コード変換圧縮部４１、コード復元伸長部４２の装置構成例を図２３及び２４に示す。置き換え処理を行うＫ２８．５コード置換え部３８において、多重分離部２７間で通信する情報を付加し、復元処理を行うＫ２８．５復元部３９において、多重分離部２７間で通信する情報を取り出す。
【００４５】
（実施形態６）
これまでの実施形態では、置き換えられたビット系列の位置情報は伝送されると想定した。例えば、ＣＰＲＩ制御信号の予約ビットまたはＩＱデータ領域に、置き換えられた前記ビット系列のＫ２８．５コードからの相対位置情報を載せることで実現される。
【００４６】
実施形態６では、圧縮されたＣＰＲＩ信号から、置き換え処理で置き換えられた前記ビット系列の位置情報を推定する。例えば、ｏｐｔｉｏｎ１以外では、Ｋ２８．５コードに続いて必ずＤ１６．２またはＤ５．６コードが送られるため、それらを検出すれば、置き換えられた前記ビット系列の位置が特定される。実施形態６を図６または図７へ適用した際の、復元処理を行うコード復元伸長部４２の装置構成例を図２５に示す。位置情報推定部４３では、置き換えられた前記ビット系列の位置を推定する。コード変換圧縮部４１は実施形態３〜５と同様である。
【００４７】
これまでは、ＣＰＲＩ信号の場合を対象として発明内容を述べた。本発明は、ＣＰＲＩ信号だけでなく、フレーム同期用ビット系列を含むデジタルＲｏＦ信号の場合にも適用可能である。複数の前記フレーム同期用ビット系列を含むデジタルＲｏＦ信号を多重する場合、多重後の信号にフレーム同期用ビット系列が複数含まれるが、本発明を適用することで、多重後の信号に含まれるフレーム同期用ビット系列を一つとできる。
【００４８】
上述した本実施形態により、ＣＰＲＩ信号の１ハイパーフレーム中に含まれるＫ２８．５コードの数が一つとなり、ＣＰＲＩリンクが正しく確立することができる。また、Ｎ個のＣＰＲＩ信号または圧縮されたＣＰＲＩ信号を多重する際、Ｎ−１個のＣＰＲＩ信号または圧縮されたＣＰＲＩ信号のＫ２８．５コードを別のビット系列に置換える。また、残りの１個のＣＰＲＩ信号または圧縮されたＣＰＲＩ信号のＫ２８．５コードを、多重により構成されるＣＰＲＩ信号のハイパーフレームの先頭に配置することでＣＰＲＩリンクの正しい確立を行うことができる。
【産業上の利用可能性】
【００４９】
本発明は情報通信産業に適用することができる。
【符号の説明】
【００５０】
１０：アンテナ
１１：ＲＲＨ
１２、１２−１、１２−２、１２−３、１２−４、１２−５：送受切替部
１３、１３−１、１３−２、１３−３、１３−４、１３−４、１３−５、１３−６、１３−７、１３−８、１３−９、１３−１０：増幅器
１４、１４−１、１４−２、１４−３、１４−４、１４−５：ダウンコンバート部
１５、１５−１、１５−２、１５−３、１５−４、１５−５：Ａ／Ｄ変換部
１６、１６−１、１６−２、１６−３、１６−４、１６−５：ベースバンドフィルタ部（上り）
１７、１７−１、１７−２、１７−３、１７−４、１７−５、１７−６、１７−７、１７−８、１７−９、１７−１０：ＣＰＲＩフレーム化部
１８、１８−１、１８−２、１８−３、１８−４、１８−５、１８−６、１８−７、１８−８、１８−９、１８−１０、１８−１１、１８−１２、１８−１３、１８−１４、１８−１５、１８−１６、１８−１７、１８−１８、１８−１９、１８−２０、１８−２１、１８−２２、１８−２３、１８−２４：Ｅ／Ｏ変換部
１９、１９−１、１９−２、１９−３、１９−４、１９−５、１９−６、１９−７、１９−８、１９−９、１９−１０、１９−１１、１９−１２、１９−１３、１９−１４、１９−１５、１９−１６、１９−１７、１９−１８、１９−１９、１９−２０、１９−２１、１９−２２、１９−２３、１９−２４：Ｏ／Ｅ変換部
２０：光ファイバ
２１：ＢＢＵ
２２、２２−１、２２−２、２２−３、２２−４、２２−５、２２−６、２２−７、２２−８、２２−９、２２−１０：ＣＰＲＩデフレーム化部
２３、２３−１、２３−２、２３−３、２３−４、２３−５：ベースバンドフィルタ部（下り）
２４、２４−１、２４−２、２４−３、２４−４、２４−５：Ｄ／Ａ変換部
２５、２５−１、２５−２、２５−３、２５−４、２５−５：アップコンバート部
２６、２６−１、２６−２、２６−３、２６−４、２６−５：変復調部
２７、２７−１、２７−２、２７−３、２７−４、２７−５、２７−６、２７−７、２７−８、２７−９、２７−１０、２７−１１、２７−１２、２７−１３：多重分離部
２８、２８−１、２８−２、２８−３、２８−４、２８−５、２８−６、２８−７、２８−８：圧縮部
２９、２９−１、２９−２、２９−３、２９−４、２９−５、２９−６、２９−７、２９−８：伸長部
３１：ＩＱデータ圧縮部
３２：多重部
３３：ＩＱデータ伸長部
３４：分離部
３５、３５−１、３５−２、３５−３、３５−４：コード変換部
３６、３６−１、３６−２、３６−３、３６−４：コード復元部
３８：Ｋ２８．５コード置換え部
３９：Ｋ２８．５コード復元部
４１、４１−１、４１−２、４１−３、４１−４：コード変換圧縮部
４２、４２−１、４２−２、４２−３、４２−４：コード復元伸長部
４３：位置情報推定部
【図１】
0006315703.tif 000002
【図２】
0006315703.tif 000003
【図３】
0006315703.tif 000004
【図４】
0006315703.tif 000005
【図５】
0006315703.tif 000006
【図６】
0006315703.tif 000007
【図７】
0006315703.tif 000008
【図８】
0006315703.tif 000009
【図９】
0006315703.tif 000010
【図１０】
0006315703.tif 000011
【図１１】
0006315703.tif 000012
【図１２】
0006315703.tif 000013
【図１３】
0006315703.tif 000014
【図１４】
0006315703.tif 000015
【図１５】
0006315703.tif 000016
【図１６】
0006315703.tif 000017
【図１７】
0006315703.tif 000018
【図１８】
0006315703.tif 000019
【図１９】
0006315703.tif 000020
【図２０】
0006315703.tif 000021
【図２１】
0006315703.tif 000022
【図２２】
0006315703.tif 000023
【図２３】
0006315703.tif 000024
【図２４】
0006315703.tif 000025
【図２５】
0006315703.tif 000026